(57)【特許請求の範囲】
【請求項１】
一個の保持スタンド（１）と一個の補助フレーム（２）とを組み立てて形成されるスイング補助装置であって、
前記保持スタンド（１）には底座である一個の固定部（１１）と上端にボールを載置できる管状の支持棒である一個の保持部（１２）とが含まれ、
前記補助フレーム（２）には二個の位置決め棒（２１、２１’）と前記二個の位置決め棒（２１、２１’）の間に固定された一個の連接棒（２２）とが含まれ、かつ前記二個の位置決め棒（２１、２１’）及び前記連接棒（２２）が共同で囲んで一個のスイング軌道（２３）が形成され、
前記連接棒（２２）の中央には一個の固接部（２２１）が設けられ、前記固接部（２２１）はスルーホールからなりかつ前記保持スタンド（１）の前記保持部（１２）に緊密に嵌合され、
前記連接棒（２２）の周縁には一個の導引部（２２２）が形成され、前記導引部（２２２）は前記固接部（２２１）から前記スイング軌道（２３）へ向かって延伸するように形成される一個の傾斜面からなることを特徴とするスイング補助装置。
【請求項２】
前記補助フレーム（２）と前記保持スタンド（１）の前記固定部（１１）の間には一個の間隔（ｄ）が形成されることを特徴とする請求項１に記載のスイング補助装置。
【請求項３】
前記保持部（１２）は塑性のゴムまたは塑性のプラスチックによって製造される請求項１または２に記載のスイング補助装置。
【請求項４】
前記保持部（１２）の上端に一個のボール置き凹部（１２１）が開設され、かつ前記ボール置き凹部（１２１）の内周壁は斜面状に形成されることを特徴とする請求項１、２または３に記載のスイング補助装置。
【請求項５】
一個の保持スタンド（１）と一個の補助フレーム（２）とを組み立てて形成されかつ前記保持スタンド（１）はボールを載置するための支持棒である保持部（１２）を有するスイング補助装置における前記補助フレーム（２）であって、
二個の位置決め棒（２１、２１’）と前記二個の位置決め棒（２１、２１’）の間に固定された一個の連接棒（２２）とが含まれ、かつ前記二個の位置決め棒（２１、２１’）及び前記連接棒（２２）が共同で囲んで一個のスイング軌道（２３）が形成され、
前記連接棒（２２）の中央には一個の固接部（２２１）が設けられ、前記固接部（２２１）はスルーホールからなりかつ前記スイング補助装置の前記保持部に緊密に嵌合され、
前記連接棒（２２）の周縁には一個の導引部（２２２）が形成され、前記導引部（２２２）は前記固接部（２２１）から前記スイング軌道（２３）へ向かって延伸するように形成される一個の傾斜面からなることを特徴とするスイング補助装置の補助フレーム。
【発明の詳細な説明】
【技術分野】
【０００１】
本発明は、スイング補助装置に関するもので、特に使用者にクラブヘッドの移動径路を目視することにより、打球の正確性を高めることができるスイング補助装置およびその補助フレームに係わるものである。
【背景技術】
【０００２】
現在、ゴルフは最も流行るレジャースポーツの一つで、一般的に使用者がゴルフの練習を行なおうとする時、先ず図７に掲示される保持スタンド（golf rubber tees）９を準備し、そして保持スタンド９の上にゴルフボール８を載せ、それからコーチの指導や自らの経験でクラブをスイングし、さらにスイングの過程の姿勢や技巧に基づいて保持スタンド９の上に載せられているゴルフボール８をスムースに打ち出す。
【０００３】
ただし、ゴルフはスイング、姿勢と技巧を頼らなければならないスポーツで、スイングや姿勢または技巧に少しでも欠点があれば、使用者はクラブでスイングする時に、クラブが予定されるスイングのルートから離れるしまうことにより、あるべきの打球力を発揮することができなくなるだけではなく、ミスショットしてしまう状況も生じるかもしれないという問題点があった。
【０００４】
それで、ゴルフのスイングする過程において使用者が打球の準備から、トップ、切り返し、インパクト、フォロー、フィニッシュまで、クラブヘッドを一定の軌道に従わなければ、適当な打球力でスムースにボールを正確な方向に打ち出すことはできない。そのために、市場では例えば、特許文献１、特許文献２および特許文献３などに掲示されている各種のゴルフ練習用の補助装置が発明され、そして上記補助装置を利用して練習することにより、適当なスイングの姿勢や打球の技巧を習得することができる。
【先行技術文献】
【特許文献】
【０００５】
【特許文献１】台湾特許公告第Ｉ２２３６０３号明細書
【特許文献２】台湾特許公告第Ｍ２４７２４６号明細書
【特許文献３】台湾特許公告第Ｍ３８６１００号明細書
【発明の概要】
【発明が解決しようとする課題】
【０００６】
上記のような従来のゴルフ練習用の補助装置では、一般的に次のような問題点を有している。上記従来のゴルフ練習用の補助装置では初心者にとって依然として経験者に傍から協力して貰ったり、或いは適当に調整して貰ったりしないと、練習の過程における有効性を保つことができない。仮に、コーチまたは熟練者が傍から指導したり矯正したりしないと、初心者にとって自らの操作では厳しい要求に符合するように修正することが難しいため、ゴルフというスポーツを行なう上で初心者には大きなショックになるという問題点があった。さらに、ゴルフ練習用の補助装置の不当な使用によって、初心者にスイングの姿勢の修正効果が表れないため、不正な姿勢によって初心者に運動傷害を与えてしまうという問題点があった。
【０００７】
上記のような従来のゴルフ練習用の補助装置の問題点に鑑み、確実に使用者にクラブヘッドの移動径路を目視することができ、打球の正確性を増やすことができるスイング補助装置およびその補助フレームを提供することにより、初心者の練習に役立って上述した各種の問題点を解決しなければならない。
【０００８】
本発明の第一の目的は、使用者にクラブヘッドの予期される径路を目視し、かつ上記径路に基づいて正確にゴルフクラブをスイングすることにより、クラブヘッドは上記径路に沿って移動し、使用者のスイングの姿勢と技巧を矯正し、さらにあるべき打球力を発揮して打球の正確性を増やすことができるスイング補助装置およびその補助フレームを提供する。
【０００９】
本発明の第二の目的は、初心者が自ら操作や修正を行なうことにより、スイングの姿勢の正確性を高めるとともに、不正な姿勢で運動傷害が生じてしまうのを抑えることができるスイング補助装置およびその補助フレームを提供する。
【課題を解決するための手段】
【００１０】
上記目的を達成するために、本発明のスイング補助装置は、一個の保持スタンド（１）と一個の補助フレーム（２）とを組み立てて形成されるスイング補助装置であって、前記保持スタンド（１）には底座である一個の固定部（１１）と上端にボールを載置できる管状の支持棒である一個の保持部（１２）とが含まれ、前記補助フレーム（２）には二個の位置決め棒（２１、２１’）と前記二個の位置決め棒（２１、２１’）の間に固定された一個の連接棒（２２）とが含まれ、かつ前記二個の位置決め棒（２１、２１’）及び前記連接棒（２２）が共同で囲んで一個のスイング軌道（２３）が形成され、前記連接棒（２２）の中央には一個の固接部（２２１）が設けられ、前記固接部（２２１）はスルーホールからなりかつ前記保持スタンド（１）の前記保持部（１２）に緊密に嵌合され、前記連接棒（２２）の周縁には一個の導引部（２２２）が形成され、前記導引部（２２２）は前記固接部（２２１）から前記スイング軌道（２３）へ向かって延伸するように形成される一個の傾斜面からなることを特徴とする。
【００１１】
さらに、上記スイング補助装置において、前記補助フレーム（２）と前記保持スタンド（１）の前記固定部（１１）の間には一個の間隔（ｄ）が形成されることもできる。また、前記保持部（１２）は塑性のゴムまたは塑性のプラスチックによって製造されることもできる。また、前記保持部（１２）の上端に一個のボール置き凹部（１２１）が開設され、かつ前記ボール置き凹部（１２１）の内周壁は斜面状に形成されることもできる。
【００１２】
さらに上記目的を達成するために、本発明のスイング補助装置の補助フレームは、一個の保持スタンド（１）と一個の補助フレーム（２）とを組み立てて形成されかつ前記保持スタンド（１）はボールを載置するための支持棒である保持部（１２）を有するスイング補助装置における前記補助フレーム（２）であって、二個の位置決め棒（２１、２１’）と前記二個の位置決め棒（２１、２１’）の間に固定された一個の連接棒（２２）とが含まれ、かつ前記二個の位置決め棒（２１、２１’）及び前記連接棒（２２）が共同で囲んで一個のスイング軌道（２３）が形成され、
前記連接棒（２２）の中央には一個の固接部（２２１）が設けられ、前記固接部（２２１）はスルーホールからなりかつ前記スイング補助装置の前記保持部に緊密に嵌合され、
前記連接棒（２２）の周縁には一個の導引部（２２２）が形成され、前記導引部（２２２）は前記固接部（２２１）から前記スイング軌道（２３）へ向かって延伸するように形成される一個の傾斜面からなることを特徴とする。
【発明の効果】
【００１４】
本発明のスイング補助装置およびその補助フレームによれば、使用者にクラブヘッドの予期される径路を目視し、かつ上記径路に基づいて正確にゴルフクラブをスイングすることにより、クラブヘッドは上記径路に沿って移動し、使用者のスイングの姿勢と技巧を矯正し、さらにあるべき打球力を発揮して打球の正確性を増やすことができるという利点がある。
【００１５】
本発明のスイング補助装置およびその補助フレームによれば、初心者が自ら操作や修正を行なうことにより、スイングの姿勢の正確性を高めるとともに、不正な姿勢で運動傷害が生じてしまうのを抑えることができるという利点がある。
【図面の簡単な説明】
【００１６】
【図１】図１は、本発明のスイング補助装置の分解斜視図である。
【図２】図２は、本発明のスイング補助装置の組み立てられた状態の平面図である。
【図３】図３は、本発明のスイング補助装置の組み立てられた状態の側面図である。
【図４】図４は、本発明のスイング補助装置の使用状態の平面図である。
【図５】図５は、本発明のスイング補助装置の使用状態の側面図１である。
【図６】図６は、本発明のスイング補助装置の使用状態の側面図２である。
【図７】図７は、従来のスイング練習装置の保持スタンドの説明図である。
【発明を実施するための形態】
【００１７】
本発明の実施の形態について、以下、図面を参照して説明する。
【００１８】
本発明のスイング補助装置およびその補助フレームは例えばゴルフ、ゲートボールなどの軌道に沿って打球するスポーツに応用することができ、そして使用者にクラブヘッドの予期される径路を目視するのを提供し、さらに上記径路に従って正確にクラブヘッドを振ることができる。ここでは、選択的にゴルフのスポーツを本発明の実施例の図式とし、さらに本発明のスイング補助装置の主な部材およびそれらに関わる配置を合わせて下記のとおり詳しく説明する。
【００１９】
図１は本発明のスイング補助装置の分解斜視図である。図１を参照すると、スイング補助装置には一個の保持スタンド１および一個の補助フレーム２が含まれ、補助フレーム２は保持スタンド１に組み立てられる。
【００２０】
保持スタンド１は一般的にボール３を載せるゴム製の載置具からなり、かつ保持スタンド１には一個の固定部１１と一個の保持部１２が含まれ、固定部１１は保持スタンド１を位置決めするのに用いられ、かつ保持部１２はボール３を載せるのに用いられる。その中に、保持スタンド１は直接一個の棒状体からなることができ、上記棒状体の一端は保持部１２で、かつ上記棒状体のもう一端は固定部１１で、固定部１１は練習場の地面（すなわち直接地面に嵌合する）に固設するのに用いられるため、ボール３を載せたままで保持スタンド１１が移動するのを避けることができる。または、本実施例の図面に示されるように、保持スタンド１は一個の底座を固定部１１とし、かつ一個の支持棒を保持部１２とし、上記支持棒は一体になるように上記底座に成形されたり、或いは粘着、締り嵌めなどの組立ての方式で互いを固接したりすることができる。特に、保持部１２の支持棒として塑性のゴムまたは塑性のプラスチックなどの弾力性材質によって製造される一個の管状物からなることができるため、クラブヘッドが保持部１２に接触する時に打撃の作用力を有効に分散することができるとともに、上記クラブヘッドが硬物にぶつかって破損してしまうのを防止することができる。
【００２１】
本実施例において、保持部１２（すなわち支持棒）の上端に一個のボール置き凹部１２１が開設され、ボール置き凹部１２１はボール３を載せるのに用いられ、かつボール置き凹部１２１の内周壁は好ましくは図面に示すような斜面状に形成されるため、打球時においてボール置き凹部１２１の内周壁の斜面を利用してボール３を支えることにより、ボール３をスムースに打ち出すことができる。
【００２２】
図２は本発明のスイング補助装置の組み立てられた状態の平面図である。図１、２を参照すると、補助フレーム２は保持スタンド１に組み立てられ、かつ補助フレーム２には二個の位置決め棒２１、２１’と一個の連接棒２２が含まれ、連接棒２２は二個の位置決め棒２１、２１’の間に固定され、かつ共同で囲んで一個のスイング軌道２３が形成される。その中に、連接棒２２は二個の位置決め棒２１、２１’とはＵ字型、コ字型またはＨ字型などの態様に一体になるように成形され、かつ共同で囲んで一個のスイング軌道２３が形成されるのを原則とし、その態様を制限する必要はなく、さらに一般的な溶接、粘着などの組立ての方式によって成形することができる。
【００２３】
本実施例において、二個の位置決め棒２１、２１’は好ましくは平行に設置するように形成されることにより、スイングする時にクラブはスイング軌道２３に沿って同じ方向への運動を維持することができるため、打球方向の正確性を確保することができる。かつ、二個の位置決め棒２１、２１’の間の距離は特に一本のクラブ（本実施例の図面に示されるウッド型に対応する）のフェースの最大幅と同じになるように形成され、さらに連接棒２２と図面に示されるＨ型の態様に一体になるように形成される。
【００２４】
その他に、使用者の上達具合に合わせ、任意に二個の位置決め棒２１、２１’の長さを選択することができる。すなわち、二個の位置決め棒２１、２１’と連接棒２２は共同で囲んで一個のスイング軌道２３が形成され、かつクラブヘッドがスイング軌道２３に沿って移動するのを確保することができれば、二個の位置決め棒２１、２１’の長さを制限する必要はない。
【００２５】
また、本実施例の連接棒２２の中央には一個の固接部２２１が含まれ、固接部２２１は保持スタンド１に組み立てられ、かつ固接部２２１は一個のスルーホールからなることができ、さらに締り嵌め、ロッキングまたは係止などの各種の組立ての方式を利用して保持スタンド１の保持部１２に嵌設し、または固接部２２１は一個の凹欠溝からなることもでき、凹欠溝に形成される固接部２２１によって保持スタンド１の保持部１２に係止して結合することができる。以上、固接部２２１の成形の態様を簡単に説明したが、補助フレーム２と保持スタンド１を組み立てることさえできればよく、固接部２２１を制限する必要はない。
【００２６】
その他に、固接部２２１を保持スタンド１の保持部１２に嵌設させ、かつ補助フレーム２を移動して固定を行なう時、選択的に補助フレーム２を水平に人工芝のマットの上に載せ、または好ましくは図３に示すように選択的に補助フレーム２と保持スタンド１の固定部１１の間に一個の間隔ｄを形成させ、間隔ｄはスイングの高さを制限するもので、クラブヘッドが地面と接触しないのを原則とし、特に間隔ｄは好ましくは１．２センチから１．５センチまでである。
【００２７】
また、連接棒２２の周縁には一個の導引部２２２が形成され、導引部２２２は使用者がクラブを上げて打球する動作を導引することができればよく、その実施の態様は制限する必要はない。例えば、導引部２２２は一個の基準線からなることができ、かつ上記基準線はスイング軌道２３とは平行になるように形成され、上記基準線は使用者がクラブを上げるタイミングを目測するのに用いられ、または本実施例の図１に示すように導引部２２２は好ましくは固接部２２１からスイング軌道２３へ向かって延伸するように形成される一個の傾斜面からなるため、使用者は導引部２２２を目視してクラブを上げて打球の準備動作を行なう時、上記クラブが不意に連接棒２２にぶつかって生じる作用力を分散することができる。
【００２８】
図４は本発明のスイング補助装置の使用状態の平面図で、図５は本発明のスイング補助装置の使用状態の側面図１である。図４、５を参照すると、本発明のスイング補助装置を上述した部材に基づいて組立てを終えると、使用者がスイングの練習を行なう時、使用者は先ずボール３をボール置き凹部１２１に載せ、そしてクラブを握ってクラブヘッド４を図４に示すように補助フレーム２の上方に位置させ、かつスイング軌道２３の範囲内に位置させ、それから使用者は図６に示すように矢印の方向に沿ってスイング軌道２３の範囲内でスイングすることができ、さらにクラブヘッド４が持続的にスイング軌道２３から離れることなく、スイング軌道２３に沿って移動するように維持することができる。このようにして、使用者の視線が連接棒２２の導引部２２２を注視した時、その勢いに従ってクラブを上げることにより、クラブヘッド４のフェースは図６の矢印の方向に沿ってボール３に向かって打球することができ、そしてクラブヘッド４がボール３にぶつかってボール３をスムースに打ち出すことができる。
【００２９】
以上を総合すると、本発明のスイング補助装置の主な特徴は、補助フレーム２に囲まれるスイング軌道２３によって使用者はクラブヘッド４の予期される径路を目視することができ、そして上記径路に基づいて正確にスイングすることができるため、クラブヘッド４はスイング軌道２３に沿って移動することにより、初心者は経験不足によってクラブヘッドが上記径路から離れてしまうのを修正することができる。これにより、使用者の姿勢と技巧を矯正することができるだけではなく、さらにクラブヘッド４がスイング軌道２３の中に制限されるのを確保することができ、そして最終的に正確な径路に沿って移動することができ、さらにクラブヘッド４がボール３にぶつかる時にあるべき打球力を発揮することができるとともに、打球の正確性を高めることができる。さらに、本発明のスイング補助装置によれば、簡単に補助フレーム２を組み立てることができるため、初心者にとって自ら簡単に操作することができ、そして随時に補助フレーム２を適当な位置まで修正することにより、スイングの標準に符合し、かつ使用者の体型に合わせることができるため、スイングの正確性を高めることができるとともに、姿勢の不正で運動傷害が生じてしまうのを相対的に抑えることができる。
【００３０】
本発明は、その精神とび必須の特徴事項から逸脱することなく他のやり方で実施することができる。従って、本明細書に記載した好ましい実施例は例示的なものであり、限定的なものではない。
【符号の説明】
【００３１】
１    保持スタンド
２    補助フレーム
３    ボール
４    クラブヘッド
８    ゴルフボール
９    保持スタンド
１１    固定部
１２    保持部
２１    位置決め棒
２１’  位置決め棒
２２    連接棒
２３    スイング軌道
１２１    ボール置き凹部
２２１    固接部
２２２    導引部
ｄ    間隔
【図１】
0005582620.tif 000002
【図２】
0005582620.tif 000003
【図３】
0005582620.tif 000004
【図４】
0005582620.tif 000005
【図５】
0005582620.tif 000006
【図６】
0005582620.tif 000007
【図７】
0005582620.tif 000008